(57)【要約】  誘導加熱システム（２０）を提供する。誘導加熱システム（２０）は、電源スイッチ（２６）と、共振加熱回路（２４）と、パルス開始装置（３０）とを備える。共振加熱回路（２４）は、ＤＣパルス入力に応答して発振電圧を発生させるように構成される。パルス開始装置（３０）は、前記電源スイッチ（２６）の両端に位置付けられ、前記電源スイッチの両端の電圧をモニタし、発振電圧の第１の周期中に、電源スイッチ（２６）の両端の電圧が実質的にゼロであることを検出すると、共振加熱回路（２４）への次のＤＣパルスの印加を開始するように構成される。
2007507074.tif 000002
【特許請求の範囲】
【請求項１】
電源スイッチと、
ＤＣ電圧パルス入力に応答して発振電圧を発生させるように構成された共振加熱回路と、
前記電源スイッチの両端に位置付けられ、前記電源スイッチの両端の電圧をモニタし、前記発振電圧の第１の周期中に、前記電源スイッチの両端の電圧が実質的にゼロであることを検出すると、前記共振加熱回路への次のＤＣ電圧パルスの印加を開始するように構成されたパルス開始装置と、
を備える誘導加熱システム。
【請求項２】
前記電源スイッチが、ＤＣ電圧パルスを供給するために開閉するように構成された、請求項１に記載の誘導加熱システム。
【請求項３】
前記電源スイッチが、スイッチ制御信号に応答して開閉するように構成された、請求項２に記載の誘導加熱システム。
【請求項４】
前記パルス開始装置と前記電源スイッチとの間に位置付けられ、前記電源スイッチへ前記スイッチ制御信号を供給するように構成されたパルスコントローラをさらに備え、前記スイッチ制御信号により、前記発振電圧の第１の周期中に前記電源スイッチの両端の電圧が実質的にゼロであることを前記パルス開始装置が検出すると、それに応答して前記電源スイッチを閉じ、ある期間が経過した後、前記共振加熱回路への次のＤＣ電圧パルスを印加するように前記電源スイッチを開く、請求項３に記載の誘導加熱システム。
【請求項５】
前記期間が、前記共振加熱回路の最大エネルギー蓄積容量に基づいた所定の値である最大許容期間に実質的に等しい値で固定される、請求項４に記載の誘導加熱システム。
【請求項６】
前記パルス開始装置が、
前記電源スイッチの両端に位置付けられ、前記電源スイッチの両端の電圧を表すモニタリング電圧を供給するように構成された分圧器と、
前記モニタリング電圧を受け、前記モニタリング電圧のレベルが、所定の正のしきい値レベルに実質的に等しいとき、次のＤＣ電圧パルスの印加を開始するように構成されたレベルスイッチと、
を備える、請求項１に記載の誘導加熱システム。
【請求項７】
前記分圧器が、
電圧スイッチの両端に直列接続された第１の抵抗器および第２の抵抗器を備え、前記モニタリング電圧が、前記第２の抵抗器の両端の電圧であり、
前記レベルスイッチにダメージを与えないように、前記第２の抵抗器の両端の電圧を制限するように機能する、前記第２の抵抗器の両端でアノードとカソード間で直列接続された複数のダイオードと、
を備える、請求項６に記載の誘導加熱システム。
【請求項８】
前記ダイオードが、低容量を有する高速スイッチングのブレークダウンダイオードを備える、請求項７に記載の誘導加熱システム。
【請求項９】
前記共振加熱回路が、
共振コンデンサと、
前記共振コンデンサと並列に結合された誘導加熱コイルと、
を備える、請求項１に記載の誘導加熱システム。
【請求項１０】
前記電源スイッチが、ゲートとコレクタとエミッタとを有する絶縁ゲートバイポーラトランジスタ（ＩＧＢＴ）を備える、請求項１に記載の誘導加熱システム。
【請求項１１】
共振回路の両端にＤＣ電圧パルスを印加するように電源スイッチを動作するステップと、
前記ＤＣ電圧パルスに応答して、発振電圧を前記共振回路に発生させるステップと、
前記発振電圧の第１の周期中に、前記電源スイッチの両端の電圧が実質的にゼロであることを検出すると、前記共振回路へ次のＤＣ電圧パルスを印加するステップと、
を含む、誘導加熱システムの動作方法。
【請求項１２】
前記電源スイッチの動作ステップが、
前記電源スイッチを開閉するステップ、
を含む、請求項１１に記載の方法。
【請求項１３】
前記電源スイッチの両端の電圧が実質的にゼロであることを検出するステップが、
前記電源スイッチの両端の電圧を表すモニタリング電圧を供給するステップと、
前記モニタリング電圧が、所定のしきい値に実質的に等しいとき、前記電源スイッチを閉じるステップと、
を含む、請求項１１に記載の方法。
【請求項１４】
ＡＣ電源に接続可能な誘導加熱システムであって、
前記ＡＣ電源に接続可能であり、ＤＣ出力ノードでＤＣ電圧を供給するように構成された整流器と、
第１の端子と、接地に結合された第２の端子と、制御ゲートとを有する電源スイッチと、
前記ＤＣ出力ノードと前記電源スイッチの前記第１の端子との間に結合された共振回路と、
前記電源スイッチを開閉するために前記電源スイッチの制御ゲートに制御信号を供給するように構成されることで、前記共振回路にＤＣ電圧パルスを供給し、前記共振回路に発振電圧を発生させる、パルスコントローラと、
前記電源スイッチ端子の両端に結合され、前記電源スイッチの両端の発振電圧をモニタし、前記スイッチが閉じると、前記電源スイッチの両端の電圧が実質的にゼロに等しくなるように、前記電源スイッチの両端の前記発振電圧が、所定のしきい値に達すると、前記パルスコントローラが前記電源スイッチを閉じるように命令する制御信号を前記パルスコントローラに供給するように構成されたパルス開始装置と、
を備える誘導加熱システム。
【請求項１５】
前記電源スイッチが、
前記制御電圧を受けるように構成されたゲートと、前記共振回路に結合されたコレクタと、接地に結合されたエミッタとを有するＩＧＢＴ、
を備える、請求項１４に記載の誘導加熱システム。
【請求項１６】
前記パルス開始装置が、
前記電源スイッチの端子の両端に結合され、前記電源スイッチの両端の発振電圧を表すモニタリング電圧を供給するように構成された分圧器回路と、
前記モニタリング電圧を受け、前記モニタリング電圧のレベルが、所定のしきい値に実質的に等しいとき、前記パルスコントローラに前記制御信号を供給するように構成されたレベルスイッチと、
を備える、請求項１４に記載の誘導加熱システム。
【請求項１７】
前記分圧器が、
前記レベルスイッチに結合されたモニタリングノードを備え、
前記電源スイッチの第１の端子と、前記モニタリングノードとの間に結合された第１の抵抗器を備え、
前記モニタリングノードと接地との間に結合された第２の抵抗器を備え、前記第２の抵抗器の両端の電圧が、前記モニタリング電圧であり、
最初の直列接続ダイオードのアノードを前記モニタリングノードに結合させ、最後の直列接続されたダイオードのカソードを接地に結合させて、直列に接続した複数のダイオードを備え、前記ダイオードが、前記第２の抵抗器の両端の電圧を制限する、
請求項１６に記載の誘導加熱システム。
【請求項１８】
前記ダイオードが、低容量を有する高速スイッチングのブレークダウンダイオードを備える、請求項１７に記載の誘導加熱システム。
【請求項１９】
前記レベルスイッチが、
ヒステリシスを有し、所定のしきい値に実質的に等しい低しきい値電圧および高しきい値電圧を有する反転ＣＭＯＳシュミットトリガ、
を備える、請求項１６に記載の誘導加熱システム。
【請求項２０】
前記共振回路が、
前記ＤＣ出力ノードに結合された第１の端子と、前記電源スイッチの前記第１の端子に結合された第２の端子とを有するコンデンサと、
前記コンデンサに並列に結合された誘導加熱コイルと、
を備える並列共振回路を備える、請求項１４に記載の誘導加熱システム。
【請求項２１】
前記誘導加熱コイルが、ワーキングヘッドに誘導結合可能である、請求項２０に記載の誘導加熱システム。
【請求項２２】
前記パルスコントローラが、所定の最大期間後、前記スイッチを開くようにさらに構成され、前記最大期間が、前記共振加熱回路の最大エネルギー蓄積容量に基づく、請求項１４に記載の誘導加熱システム。
【請求項２３】
前記パルスコントローラが、前記誘導加熱システムの初期電源投入に基づいて、前記電源スイッチを閉じ、次いで、前記パルス開始装置の制御信号に基づいて、前記スイッチを閉じるように構成された、請求項１４に記載の誘導加熱システム。
【発明の詳細な説明】
【技術分野】
【０００１】
本発明は、一般に、誘導加熱システムに関し、特に、スイッチストレスを最小限に抑えて効率的に加熱を行うためにパルス開始装置を利用した誘導加熱システムに関する。
【背景技術】
【０００２】
「誘導加熱」とは、一般に、コイルに交流を流して交番磁束を発生させるプロセスを表す用語である。金属製の被加熱体にコイルを近接させて配置するか、またはこの被加熱体にコイルを巻き付けると、交番磁束は、この負荷をコイルに誘導結合し、金属製の被加熱体内に渦電流を発生させて被加熱体を加熱させる。この機能から、コイルを「ワークコイル」あるいは「誘導ヘッド」、金属製の被加熱体を「負荷」と呼ぶことが多い。誘導加熱は、接着剤硬化、金属の焼き入れ、ロウ付け、ハンダ付け、溶接、および作用剤や促進剤として熱が欠かせない他の作製プロセスを含む多くの目的で用いられることもある。
【０００３】
誘導加熱の分野は、十分に確立されているとみなされており、誘導ヘッドに送り出される電力、ひいては、負荷において生成される熱を制御するために、いくつかのタイプの誘導加熱システムが開発されてきた。共振システムと呼ばれることもある１つのタイプの誘導加熱システムは、一般に、電源と、一般的にワークコイルおよびコンデンサによって形成された共振誘導ヘッドと、電源によって共振誘導ヘッドに送り出される電力を制御するための何らかのタイプのスイッチング手段とを備える。一般に、スイッチング手段は、電源に共振誘導ヘッドへ電力を供給させるように閉じられることで、ワークコイルにエネルギーが蓄積される。スイッチング手段が開かれると、誘導ヘッドは、共振し始め、発振電圧と、それに対応する発振電流とを発生させ、蓄積されたエネルギーは、熱として負荷に放電される。
【０００４】
発振の第１半周期中に、誘導ヘッドから負荷へ最大量のエネルギーが伝達される。したがって、最も迅速かつ効率的に負荷を加熱するために、従来の誘導加熱システムは、第１半周期の終了時に発振電圧がゼロに達するときにスイッチング手段を動作することによって、誘導ヘッドに蓄積エネルギーを補給するように構成されていることが多い。しかしながら、これは、スイッチング手段でのゼロ電圧とは一致しないことが多く、結果的にスイッチング手段にストレスがかかる可能性があり、またはこのような動作をさせるのに複雑なスイッチング手段が必要となる。
【０００５】
誘導加熱システム、特に、共振誘導ヘッドを採用した誘導加熱システムが、迅速かつ効率的に負荷を加熱しながら、スイッチング手段へのストレスを実質的に最小限に抑える単純な方法から利益を享受するであろう。
【発明の開示】
【課題を解決するための手段】
【０００６】
本発明は、誘導加熱システムを提供するものである。誘導加熱システムは、電源スイッチと、共振加熱回路と、パルス開始装置とを備える。共振加熱回路は、ＤＣパルス入力に応答して発振電圧を発生させるように構成される。パルス開始装置は、電源スイッチの両端に位置付けられ、電源スイッチの両端の電圧をモニタし、発振電圧の第１周期中に、電源スイッチの両端の電圧が実質的にゼロであることを検出すると、共振加熱回路に次のＤＣパルスの印加を開始するように構成される。
【０００７】
添付の図面は、本発明のさらなる理解を促すために含まれたものであり、本願明細書に組み込まれ、その一部を構成するものである。図面は、本発明の実施形態を例示し、その記載とともに、本発明の原理を説明するものとして用いられる。本発明の他の実施形態および本発明の意図した利点の多くは、添付の図面に関連して考慮する際に、以下の詳細な記載を参照することによってより深く理解されるため、容易に認識されるであろう。同図面において、類似の参照番号は、図面を通じて同様の部品を表す。
【発明を実施するための最良の形態】
【０００８】
図１に、本発明による誘導加熱システムが参照番号２０で概して示されている。誘導加熱システム２０は、整流器２２と、共振加熱回路２４と、電源スイッチ２６と、パルスコントローラ２８と、パルス開始装置３０とを含む。誘導加熱システム２０は、外部導電性負荷３４に参照番号３２で誘導結合されるように構成され、電源スイッチ２６のスイッチングストレスを実質的に最小限に抑えるとともに、負荷３４の加熱を実質的に最大のものにするように、電源スイッチ２６のスイッチングを制御するように動作する。
【０００９】
整流器２２は、第１の入力ノード３８および第２の入力ノード４０を介してＡ／Ｃ電源３６に接続可能であり、出力ノード４２でＤＣ電圧レベルを供給するように構成される。共振加熱回路２４は、整流器出力ノード４２とノード４４との間に結合され、電源スイッチ２６は、ノード４４と接地ノード４６との間に結合される。パルスコントローラ２８は、経路４８を介して電源スイッチ２６へスイッチ制御信号を供給するように構成されて、電源スイッチ２６をまず閉状態にし、所定の期間が経過した後に開状態にすることで、ＤＣパルスを共振加熱回路２４に供給する。所定の期間は、共振加熱回路２４がダメージを受けることなく蓄積し得る最大エネルギー値に基づく。共振加熱回路２４は、ＤＣパルスに応答して、発振電圧と、それに関連する発振電流および交番磁束とを発生させることで、誘導結合された外部負荷３４を加熱する。
【００１０】
パルス開始装置３０は、電源スイッチ２６と並列に結合され、電源スイッチ２６の両端の電圧をモニタするように構成される。パルス開始装置３０は、経路５０を介してパルスコントローラ３０にパルス開始信号を供給するようにさらに構成されて、電源スイッチ２６の両端の電圧が、発振電圧の第１の周期中に実質的にゼロに等しくなると、共振加熱回路２４への次のＤＣパルスの印加を開始させる。電源スイッチ２６の両端の電圧が、発振電圧の第１の周期中に実質的にゼロに等しくなると電源スイッチ２６を閉じることによって、本発明による誘導加熱システム３０は、外部負荷３４の加熱を実質的に最大にするとともに、電源スイッチ２６のスイッチングストレスを実質的に最小限に抑える。
【００１１】
図２は、本発明による誘導加熱システム２０の１つの例示的な実施形態を示す概略ブロック図６０である。整流器２２は、４つのダイオード６２、６４、６６、および６８を備える標準的なダイオードブリッジ整流器である。第１のダイオード６２は、第１の入力ノード３８に結合されたアノードと、出力ノード４２に結合されたカソードとを有する。第２のダイオード６４は、第２の入力ノード４０に結合されたアノードと、出力ノード４２に結合されたカソードとを有する。第３のダイオード６６は、接地４６に結合されたアノードと、第１の入力ノード３８に結合されたカソードとを有する。第４のダイオード６８は、接地４６に結合されたアノードと、第２の入力ノード４０に結合されたカソードとを有する。整流器２２は、外部Ａ／Ｃ電源３６に接続可能であり、出力ノード４２でＤＣ電圧レベルを供給するように構成される。
【００１２】
共振加熱回路２４が、共振コンデンサ７０と、フェライト磁心に巻き付けた誘導加熱コイル７４を備えるワーキングヘッド７２とを備える。この共振コンデンサは、誘導加熱コイル７４と並列に結合され、整流器出力ノード４２に結合された第１の端子と、ノード４４に結合された第２の端子とを有する。共振加熱回路２４は、ＤＣ電圧パルスに応答して、発振電圧と、それに関連する発振電流および交番磁束とをフェライト磁心７６に発生させることで、誘導結合された外部負荷３４を加熱する。１つの実施形態において、誘導加熱システム２０に対してワーキングヘッド７２を移動可能にし、負荷３４など、遠隔位置にある被加熱負荷に接触させて配置できるようにする可撓リード線を用いて、共振コンデンサ７０にワーキングヘッド７２が結合される。１つの実施形態において、ワーキングヘッド７２が、フェライト磁心７６を含まない。
【００１３】
電源スイッチ２６が、ゲート８０と、ノード４４に結合されたコレクタ８２と、接地４６に結合されたエミッタとを有する絶縁ゲートバイポーラトランジスタ（ＩＧＢＴ）を備える。他の実施形態において、電源スイッチ２６が、電界効果トランジスタ（ＦＥＴ）、バイポーラ接合トランジスタ（ＢＪＴ）、またはシリコン制御整流器（ＳＣＲ）を備える。パルスコントローラ２８が、経路４８を介して電源スイッチ２６へスイッチ制御信号を供給するように構成されて、電源スイッチ２６をまず閉状態にし、所定の期間が経過した後に開状態にすることで、ＤＣパルスを共振加熱回路２４に供給する。所定の期間は、共振加熱回路２４がダメージを受けることなく蓄積し得る最大エネルギー値に基づく。パルスコントローラ２８は、誘導加熱システム２０の初期電源投入後に電源スイッチ２６を閉じるように構成されることで、共振加熱回路２４への第１のＤＣ電圧パルスを開始し、その後、パルス開始装置３０から経路５０を介してパルス開始信号を受信すると、それに基づいて、共振加熱回路２４への次のＤＣ電圧パルスを開始するために電源スイッチ２６を閉じるように構成される。
【００１４】
パルス開始装置３０は、電源スイッチ２６と並列に接続され、分圧器９０と、レベルスイッチ９２とを備える。分圧器９０は、ドロッピング抵抗器９４と、モニタリング抵抗器９６と、複数のダイオード９８とを備える。ドロッピング抵抗器９４は、ノード４４に結合された第１の端子と、モニタリングノード１００に結合された第２の端子とを有する。モニタリング抵抗器９６は、モニタリングノード１００と接地４６との間に結合される。複数のダイオード１００は、カソードとアノード間で直列接続され、モニタリング抵抗器９６と並列に結合され、複数のダイオードの最初のダイオードのアノードをモニタリングノード１００に結合し、複数のダイオードの最後のダイオードのカソードを接地４６に結合した状態にし、モニタリング抵抗器９６の両端の電圧を最大レベルに制限するように機能する。
【００１５】
電源スイッチ２６が閉位置にあるとき、ノード４４は、共振加熱回路２４にＤＣ電圧パルスが印加されている間、システムからパルス開始装置３０を効果的に取り外す接地状態にされる。電源スイッチ２６を開くことによって共振加熱回路２４からＤＣ電圧パルスが取り外されると、共振加熱回路２４は、発振電圧を発生させ始める。ＤＣ出力ノード４２でのＤＣ電圧レベルと、共振回路２４によって発生させられる発振電圧との和が、ノード４４、言い換えれば、コレクタ８２と接地４６との間に存在し、以下、この電圧をＶC（コレクタ８２と接地間の電圧）と呼ぶ。共振加熱回路２４が発振電圧を発生しているとき、ＶCは、ＤＣ出力ノード４２でＤＣ電圧レベルに実質的に等しいＤＣオフセットを有する発振波形として現れる。ＶCは、分圧器９０のドロッピング抵抗器９４およびモニタリング抵抗器９６の両端にも存在し、この電圧のほとんどは、ドロッピング抵抗器９６の両端に現れ、モニタリングノード１００から接地４６へのモニタリング抵抗器の両端には、モニタリング電圧が現れる。ＶCが発振すると、モニタリング抵抗器９６の両端のモニタリング電圧も発振する。ＶＣについては、以下、図３にグラフ形式でさらに例示する。
【００１６】
レベルスイッチ９２は、モニタリングノード１００に結合され、モニタリング電圧を受ける入力１０４と、経路２８を介してパルスコントローラ２８に結合された出力１０６とを有する反転相補型金属酸化膜半導体（ＣＭＯＳ）のシュミットトリガ１０２である。シュミットトリガ１０２は、低電圧設定点および高電圧設定点を有するようなヒステリシスで構成される。シュミットトリガ１０２は、モニタリング電圧を高低の両電圧設定点と比較し、パルス開始信号を出力１０６で供給するように構成されて、モニタリング電圧が低電圧設定点に実質的に等しくなるとき、パルスコントローラ２８に共振回路２４への次のＤＣパルスの印加を開始させる。１つの実施形態において、低電圧設定点は、ゼロより一定量大きい所定の値であるため、パルスコントローラ２８へパルス開始信号を供給するパルス開始装置３０と、電源スイッチ２６へスイッチ制御信号を供給するパルスコントローラ２８とに伴う固有の伝播遅延を考慮に入れると、電源スイッチ２６は、実際のところ、モニタリング電圧、いわゆる、ＶCが、実質的にゼロに等しい値を有するときに閉じる。
【００１７】
図３は、コレクタ８２から接地までの電源スイッチの両端の電圧、以下、これをＶCと呼ぶ、の例示的なグラフ１２０であり、誘導加熱システム２０の動作を記載する上で役立つようにするために含まれている。時間ｔ0で、第１および第２の入力ノード３８および４０にＡ／Ｃ電源が印加されておらず、参照番号１２２に示すように、ＶCはゼロに等しい。時間ｔ1で、参照番号１２４に示すように、第１および第２の入力ノード３８および４０の両端にＡ／Ｃ電源３６が印加されると、整流器２２は、ＤＣ電圧レベル（ＶDC）を供給し、コレクタ８２から接地４６までＶDCに実質的に等しいＤＣ電圧を生成する。誘導加熱システム２０の初期電源投入後、パルスコントローラ２８は、ＩＧＢＴ７８を順方向バイアス状態にし、時間ｔ2に参照番号１２６で示すように、エミッタ８４を介して接地４６へコレクタ８２を引き寄せるように、ライン１１０を介してしてゲート８０へ電源スイッチ制御信号を供給するように構成される。パルスコントローラ２８は、ｔ2からｔ3までの期間（Δｔ）１２８の間、順方向バイアス状態にＩＧＢＴ７８を維持するように構成される。この期間中、コレクタ８２は、エミッタ８４を介して接地４６へ短絡されることで、ＶDCと実質的に等しい大きさと、期間Δｔとを有するＤＣ電圧パルスが共振加熱回路２４の両端に印加され、誘導コイル７４に電荷を蓄える。期間Δｔ１２８は、誘導コイル７４に蓄えられた電荷の大きさを決定する。
【００１８】
参照番号１３０に示すように、時間ｔ3で、パルスコントローラ２８は、ＩＧＢＴ７８が逆方向バイアス状態になってＩＧＢＴ７８が接地へ導通しなくなることで、共振回路２４へのＤＣ電圧パルスを終端させるように、ゲート８０へ電源スイッチ制御信号を供給する。ｔ3１３０で、誘導コイル７４は、共振コンデンサ７０へ放電し始め、共振加熱回路２４は、発振電圧を生成を開始し、この発振電圧は、フェライト磁心７６に対応する発振磁束を発生させて、外部負荷３４を加熱する。共振加熱回路２４によって発生させる発振電圧は、参照番号１３２で示すように、ＶDCと合わさって、コレクタ８２から接地４６までの電源スイッチ２６の両端のＶDCと実質的に等しいＤＣオフセットを有する発振電圧を形成する。共振加熱回路２４にＤＣパルスがさらに印加されなければ、電源スイッチ２６の両端の発振波形は、破線の波形１３６で示すように、ＤＣオフセットの周囲で次第に崩れ、いわゆる「リングアウト」することになる。
【００１９】
しかしながら、電源スイッチ２６がｔ3１３０で開かれると、電圧ＶCは、ノード４４から接地４６へ、ひいては、ドロッピング抵抗器９４およびモニタリング抵抗器９６の両端に供給されることによって、ＣＭＯＳシュミットトリガ１０２の入力１０４にモニタリング電圧（ＶMON）を供給する。ＶCがｔ3１３０での実質的にゼロボルトの値からピーク値１３８へ上昇するにつれ、モニタリング抵抗器９６の両端の電圧も上昇するが、制限ダイオード９８が要求する最大値に制限される。ＶCがピーク値１３８を通過するにつれ、ＶCの値は、制限ダイオード９８が順方向バイアス状態ではなく、ドロッピング抵抗器９４およびバイアス抵抗器９６が従来の分圧器として機能する点まで下降する。
【００２０】
ＶCは、参照番号１４０で示す時間ｔ4で、参照番号１４２に示すように、入力１０４での点ＶMONがシュミットトリガ１０２の低電圧設定点に実質的に等しい初期電圧レベル（ＶI）に達するまで降下し続ける。ＶＭＯＮが、低電圧設定点に実質的に等しい場合、シュミットトリガ１０２は、出力１０６で、経路５０を介してパルスコントローラ２８にパルス開始信号を供給して、パルスコントローラ２８がゲート８０へスイッチ制御信号を供給するようにさせ、ゲート８０は、ＩＧＢＴ７８を閉状態にすることによって、共振加熱回路２４への次のＤＣパルスを開始する。パルスコントローラ２８は、ｔ4１４０から参照番号１４６で示すｔ5までの参照番号１４４で示す第２の期間（Δｔ）、ＩＧＢＴ７８を順方向バイアス状態に維持することで、共振加熱回路２４へ次のＤＣパルスを印加する。次いで、負荷３４の加熱に必要なだけ、上述したプロセスを繰り返すことで、ＶCは、ピーク１３８および１４８で示すような一連のピークを含む電圧波形を有する。
【００２１】
本発明の多数の特徴および利点を前述した記載に示した。言うまでもなく、本願開示は、多くの点で、例示的なものにすぎないことを理解されたい。詳細事項、特に、部品の形状、サイズ、配列に関して、本発明の範囲を逸脱することなく、変更を加えることが可能である。本発明の範囲は、特許請求の範囲に表現されている言葉に規定される。
【図面の簡単な説明】
【００２２】
【図１】本発明による誘導加熱システムの１つの例示的な実施形態を示すブロック図である。
【図２】本発明による誘導加熱システムの１つの例示的な実施形態を示す概略ブロック図である。
【図３】本発明の１つの実施形態による誘導加熱システムの電源スイッチの両端の電圧の例示的なグラフである。
【図１】
2007507074.tif 000003
【図２】
2007507074.tif 000004
【図３】
2007507074.tif 000005
【国際調査報告】
2007507074.tif 000006
2007507074.tif 000007
2007507074.tif 000008